(57)【要約】 【課題】  平面型放電管から放射される熱を効率よく逃がすことが可能な照明装置を提供する。また、平面型放電管の両面から発光する光を利用した照明装置を提供する。【解決手段】  照明装置１００に内蔵された平面型放電管１０３は、天井水平面に対して傾斜して保持されているので、平面型放電管１０３の裏面から発せられた光を間接照明として利用できる。また、平面型放電管の表および裏面より発せたれた熱は、平面型放電管１０３の傾斜表面に沿って流れる浮力によって生じた空気によって、平面型放電管１０３の表面が冷却され、熱を持った空気は、放熱孔１０１ｂから流れ出るので、平面型放電管１０３および照明装置の内部空間の温度上昇を抑えることができる。【選択図】          図１
2007305554.tif 000002
【特許請求の範囲】
【請求項１】
天井水平面に取り付けられるとともに底面に対向した開口部を有する本体ケースと、透光性を有するグローブを設けるともに前記開口部を覆うカバー体と、前記本体ケース内に内蔵され表裏の両面から発光する平面型放電管と、を備えた照明装置において、
前記平面型放電管の裏面が前記天井水平面に対して傾斜して設置されること、
を特徴とする照明装置。
【請求項２】
前記本体ケースの底面周縁部に開口され、前記本体ケース内と外部空間とを連通する放熱孔であって、
該該放熱孔は、前記本体ケースの底面と前記平面型放電管の裏面の周縁部とが最も接近する位置に開口されること、
を特徴とする請求項１に記載の照明装置。
【請求項３】
天井水平面に取り付けられるとともに底面に対向した開口部を有する本体ケースと、透光性を有するグローブを設けるともに前記開口部を覆うカバー体と、前記本体ケース内に内蔵され表裏の両面から発光する平面型放電管と、を備えた照明装置において、
前記本体ケース底面と連通するとともに前記天井水平面に対して傾斜した傾斜底面を設けたこと、
を特徴とする照明装置。
【請求項４】
前記底面または前記傾斜底面の内面側には、光を反射する反射部材を備えたこと、
を特徴とする請求項１〜請求項３のいずれかに記載の照明装置。
【請求項５】
前記本体ケースの底面と前記平面型放電管の裏面との間には、天井水平面に対して傾斜する傾斜部材を備えること、
を特徴とする請求項１〜請求項４のいずれかに記載の照明装置。
【請求項６】
前記本体ケースの底面周縁部に開口され、前記本体ケース内と外部空間とを連通する放熱孔であって、
該放熱孔は、前記本体ケースの底面と前記傾斜部材の周縁部とが最も接近する位置に開口されること、
を特徴とする請求項５に記載の照明装置。
【請求項７】
前記平面型放電管を点灯するための駆動回路基板と、
前記傾斜部材と連接するとともに前記駆動回路基板を覆い、かつ、前記平面方放電管の裏面からの照射光を遮蔽する遮蔽部材と、
を備えたことを特徴とする請求項５または請求項６に記載の照明装置。
【請求項８】
前記傾斜部材の前記平面型放電管の裏面と対向する側の面には、光を反射する反射部材を備えたこと、
を特徴とする請求項５〜請求項７のいずれかに記載の照明装置。
【請求項９】
前記反射部材は、金属薄板からなること、
を特徴とする請求項４または請求項８に記載の照明装置。
【請求項１０】
前記グローブは、前記平面型放電管の表面から照射される光が透過する直接照明部と、前記平面型放電管の裏面から照射される光が前記反射部材を介して透過する間接照明部と、
からなること、を特徴とする請求項１〜請求項９のいずれかに記載の照明装置。
【請求項１１】
前記直接照明部の外面は、前記間接照明部の外面に対して傾斜して設けたこと、
を特徴とする請求項１０に記載の照明装置。
【請求項１２】
前記平面型放電管は、対向配置した一対の誘電体平板の周囲を封止して形成した放電空間に放電ガスを充填し、前記一対の誘電体平板のいずれか一方の面には一対の薄膜状の放電電極が備えられ、この電極に電圧を印加することによって、前記一対の誘電体平板の両面がから発光すること、
を特徴とする請求項１〜請求項１１のいずれかに記載の照明装置。
【発明の詳細な説明】
【技術分野】
【０００１】
本発明は、光源に平面型放電管を用いた照明装置に関する。
【背景技術】
【０００２】
従来、この種の照明装置としては、例えば特許文献１に記載されるものがある。図７に示すように、この照明装置５０は、例えば天井Ｃに固定される扁平なグローブ５１内に、平面型放電管５２と、この平面型放電管５２に高周波電流を印可する駆動回路５３とを備えている。平面型放電管５２における前面側の透明電極５４は、駆動回路５３の接地側に接続されている。これにより、点灯中の透明電極５４に人が触れても、電流が流れないようになっている。
【０００３】
さらに、グローブ５１において天井Ｃに密着する裏ケース５５の内面には、導電性の金属からなるとともに駆動回路５３の回路基板が密着された放熱板５６が配置され、この放熱板５６は、平面型放電管５２の背面と対応する位置まで延長されている。そして、共に駆動回路５３の接地側に接続された前記透明電極５４と放熱板５６とにより、平面型放電管５２が電磁遮蔽されるようになっている。
【０００４】
【特許文献１】特開２００５−３０２６４６号公報（第４頁、第２図）
【発明の開示】
【発明が解決しようとする課題】
【０００５】
ところが、上記特許文献１の照明装置５０においては、裏ケース５５の内面に接合された放熱板５６から離間した位置に平面型放電管５２が保持されている。これは、放熱板５６が駆動回路５３の接地側に接続されている一方、平面放電管５２の背面電極５７は高電位となっているためである。従って、平面型放電管５２と放熱板５６との間に空間がある。この空間には、平面型放電管５２から発せられる熱と、駆動回路５３の回路基板から発せられる熱とが放射されるが、空気の流れが悪いために、この空間に空気が滞留し、空気の対流による放熱効果が低く、効率よく熱を逃がすことができなかった。このため、照明装置５０の照度を上げる場合には、平面型放電管５２の冷却効率を上げるためにグローブ５１を大きくしてその内部の空間容積を大きくし、同空間の空気の対流によってグローブ５１全体から放熱される熱量を多くする必要があった。従って、照明装置５０の照度を高くしようとすればグローブ５１をより大きくする必要があり、照明装置５０がより大型化する問題があった。
【０００６】
一方、この平面型放電管５２は、一対の対向した誘電体平板を透明なガラス基板とし、かつ、これらのガラス基板の表裏のいずれか一方に、それぞれ例えばＩＴＯ膜からなる透明電極を配置する構造にすることによって、表裏両面から発光させることができるという特徴を有しているため、この両面発光を利用できる灯具の開発が期待されていた。
【０００７】
本発明では、平面型放電管から放射される熱を効率よく逃がすことが可能な照明装置を提供することを第１の目的とする。さらに、本発明では、前記第１の目的に加えて、平面型方放電管の両面から発光する光を利用した照明装置を提供することを第２の目的とする。
【課題を解決するための手段】
【０００８】
前記目的を達成するために、本発明のうちで請求項１に記載した照明装置は、
天井水平面に取り付けられるとともに底面に対向した開口部を有する本体ケースと、透光性を有するグローブを設けるともに前記開口部を覆うカバー体と、前記本体ケース内に内蔵され表裏の両面から発光する平面型放電管と、を備えた照明装置において、
前記平面型放電管の裏面が前記天井水平面に対して傾斜して設置されること、
を特徴とする。なお、ここでいう平面型放電管とは、表裏の両面から発光する平面状の光源体を指しており、その光源を形成する具体的な構造や材質を限定するものではない。
【０００９】
請求項１に記載した照明装置によれば、平面型放電管の裏面が前記天井水平面に対して傾斜して設置されるので、この平面型放電管の表面または裏面から放射される熱を持った空気が、浮力によって傾斜した平面型放電管の表面または裏面に沿って斜め上方へ流れることにより対流が起こる。そのため、従来のように空気の滞留が起こりにくくなり、ひいては効率良く、熱を逃がすことができる。また、この平面型放電管の裏面からの照射光は、間接照明としてグローブを介して外部へ照射させることができる。
【００１０】
また、請求項２に記載の照明装置は、請求項１に記載の照明装置の構成に加えて、
前記本体ケースの底面に開口され、前記本体ケース内と外部空間とを連通する放熱孔であって、該放熱孔は前記本体ケースの底面と前記平面型放電管の裏面の周縁部とが最も接近する位置に開口されること、を特徴とする。
【００１１】
請求項２に記載した照明装置によれば、請求項１に記載の照明装置の作用に加えて、
放熱孔は、前記本体ケースの底面と前記平面型放電管の裏面の周縁部とが最も接近する位置に対向する前記本体ケースの底面周縁部に開口されるので、この平面型放電管の裏面から放射される熱を持った空気が、浮力によって傾斜した平面型放電管の裏面に沿って斜め上方へ流れ、この裏面の最上部に対向する位置に設けられた放熱孔から、熱を持った空気が外部空間へ流れ出ることにより、最も熱を効率よく逃がすことができる。
【００１２】
また、請求項３に記載の照明装置は、天井水平面に取り付けられるとともに底面に対向した開口部を有する本体ケースと、透光性を有するグローブを設けるともに前記開口部を覆うカバー体と、前記本体ケース内に内蔵され表裏の両面から発光する平面型放電管と、を備えた照明装置において、前記本体ケース底面と連通するとともに前記天井水平面に対して傾斜した傾斜底面を設けたこと、を特徴とする。なお、ここでいう平面型放電管とは、表裏の両面から発光する平面状の光源体を指しており、その光源を形成する具体的な構造や材質を限定するものではない。
【００１３】
請求項３に記載した照明装置によれば、前記傾斜底面が前記天井水平面に対して傾斜して設置されるので、この平面型放電管の裏面から放射される熱を持った空気が、浮力によって傾斜した傾斜底面の下側に沿って斜め上方へ流れることにより対流が起こる。そのため、従来のように空気の滞留が起こりにくくなり、ひいては効率良く、熱を逃がすことができる。
【００１４】
また、請求項４に記載の照明装置は、請求項１〜請求項３のいずれかに記載の照明装置の構成に加えて、前記底面または前記傾斜底面の内面側には、光を反射する反射部材を備えたこと、を特徴とする。
【００１５】
請求項４に記載した照明装置によれば、請求項１〜請求項３のいずれかに記載の照明装置の作用に加えて、前記底面または前記傾斜底面の内面側に光を反射する反射部材を備えることによって、前記平面型放電管の裏面からの照射光を反射させることができるので、この反射光は間接照明としてグローブを介して外部へ照射される。
【００１６】
また、請求項５に記載の照明装置は、請求項１〜請求項４のいずれかに記載の照明装置の構成に加えて、前記本体ケースの底面と前記平面型放電管の裏面との間には、天井水平面に対して傾斜する傾斜部材を備えること、
を特徴とする。
【００１７】
請求項５に記載した照明装置によれば、請求項１〜請求項４のいずれかに記載の照明装置の作用に加えて、前記本体ケースの底面と前記平面型放電管の裏面との間には、天井水平面に対して傾斜する傾斜部材を備えることによって、この平面型放電管の表面または裏面から放射される熱を持った空気が、浮力によって傾斜した傾斜部材の下面に沿って斜め上方へ流れることにより対流が起こる。そのため、従来のように空気の滞留が起こりにくくなり、ひいては効率良く、熱を逃がすことができる。
【００１８】
また、請求項６に記載の照明装置は、請求項５に記載の照明装置の構成に加えて、前記本体ケースの底面周縁部に開口され、前記本体ケース内と外部空間とを連通する放熱孔であって、該放熱孔は、前記本体ケースの底面と前記傾斜部材の周縁部とが最も接近する位置に開口されること、を特徴とする。
【００１９】
請求項６に記載した照明装置によれば、請求項５に記載の照明装置の作用に加えて、前記放熱孔は、前記本体ケースの底面と前記傾斜部材の周縁部とが最も接近する位置に対向する前記本体ケースの底面周縁部に開口されるので、この平面型放電管の表面または裏面から放射される熱を持った空気が、浮力によって傾斜した平面型放電管の裏面に沿って斜め上方へ流れ、この裏面の最上部に対向する位置に設けられた放熱孔から、熱を持った空気が外部空間へ流れ出ることにより、最も熱を効率よく逃がすことができる。
【００２０】
また、請求項７に記載の照明装置は、請求項５または請求項６に記載の照明装置の構成に加えて、前記平面型放電管を点灯するための駆動回路基板と、前記傾斜部材と連接するとともに前記駆動回路基板が設置され、かつ、前記平面型放電管の裏面からの照射光を遮蔽する遮蔽部材と、を備えたことを特徴とする。
【００２１】
請求項７に記載した照明装置によれば、請求項５または請求項６に記載の照明装置の作用に加えて、この遮蔽部材を備えることによって、前記駆動回路基板を覆い、前記平面型放電管の裏面からの照射光を遮蔽することができるので、この平面型放電管の裏面から発せられる熱が、前記駆動回路基板に伝わらないようにすることができる。また、この遮蔽部材には、前記駆動回路基板が設置されるとともに、前記傾斜部材と連接しているので、この駆動回路基板から発せられる熱が遮蔽部材を介して前記傾斜部材に伝わる。この傾斜部材が放熱板としての役割を果たすので、前記駆動回路基板の温度上昇を抑えることができる。また、前記傾斜部材と前記遮蔽部材とは、連通して一体にして形成されているので、別部品として遮蔽部材を設ける必要がなく、コストを低減することができる。
【００２２】
また、請求項８に記載の照明装置は、請求項５〜請求項７のいずれかに記載の照明装置の構成に加えて、前記傾斜部材の前記平面型放電管の裏面と対向する側の面には、光を反射する反射部材を備えたこと、を特徴とする。
【００２３】
請求項８に記載の照明装置によれば、請求項５〜請求項７のいずれかに記載の照明装置の作用に加えて、前記傾斜部材に光を反射する反射部材を備えることによって、前記平面型放電管の裏面からの照射光を反射させることができるので、この反射光は間接照明としてグローブを介して外部へ照射される。
【００２４】
また、請求項９に記載の照明装置は、請求項４または請求項８に記載の照明装置の構成に加えて、前記反射部材は、金属薄板からなること、を特徴とする。ここでいう反射部材は、本体ケース底面、本体ケース傾斜底面、あるいは、傾斜部材を金属薄板で形成することをも含むものである。
【００２５】
請求項９に記載の照明装置によれば、請求項４または請求項８に記載の照明装置の作用に加えて、前記反射部材が金属薄板から形成されているので、製作部品としてのコストを低減させることができる。特に、本体ケース底面、本体ケース傾斜底面、あるいは、傾斜部材を金属薄板で形成することによって、これらが反射部材としての役目を果たすので、別部品として反射部材を取り付けることと比較して、製作部品数を減らすことができるので、コスト上昇を抑えることができる。
【００２６】
また、請求項１０に記載の照明装置は、請求項１〜請求項９のいずれかに記載の照明装置の構成に加えて、前記グローブは、前記平面型放電管の表面から照射される光が透過する直接照明部と、前記平面型放電管の裏面から照射される光が前記反射部材を介して透過する間接照明部と、からなることを特徴とする。
【００２７】
請求項１０に記載の照明装置によれば、請求項１〜請求項９のいずれかに記載の照明装置の作用に加えて、前記グローブが、直接照明部と間接照明部の２つの領域から構成されるので、直接照明部から照射される照度の大きい光によって主照明を形成し、間接照明から照射される比較的照度の小さい光によって、補助照明を形成する。この主照明によって照射対象となる物品等を局所的に照らし、その周囲等を柔らかな補助照明によって照らすことにより、装飾的な効果を醸し出すことが可能となる。
【００２８】
また、請求項１１に記載の照明装置は、請求項１０に記載の照明装置の構成に加えて、前記直接照明部の外面は、前記間接照明部の外面に対して傾斜して設けたこと、を特徴とする。
【００２９】
請求項１１に記載の照明装置によれば、請求項１０に記載の照明装置の作用に加えて、前記直接照明部の外面が前記間接照明部の外面に対して傾斜して設けられることにより、直接照明としての主照明照射領域と、間接照明としての補助照明領域とが、重なり合う領域を極力少なくすることができる。
【００３０】
また、請求項１２に記載の照明装置は、請求項１〜請求項１１に記載の照明装置の構成に加えて、前記平面型放電管は、対向配置した一対の誘電体平板の周囲を封止して形成した放電空間に放電ガスを充填し、前記一対の誘電体平板のいずれか一方の面には一対の薄膜状の放電電極が備えられ、この電極に電圧を印加することによって、前記一対の誘電体平板の両面から発光すること、を特徴とする。
【００３１】
請求項１２に記載の照明装置によれば、請求項１〜請求項１１に記載の照明装置の作用に加えて、前記平面型放電管は、例えばＬＥＤから照射する光を導光板に照射させて、この導光板の表面から照射されるような平面発光体と比較して均一面発光が可能である。また、一対の誘電体平板間の周囲を封止して形成された放電空間の両端に一対の棒状電極を形成した平面型放電管があるが、この放電空間の厚みが前記一対の棒状電極に律束されるために薄くすることができず、したがって、放電管全体を薄くすることができない。しかし、この発明に用いる前記平面型放電管は、放電空間内に電極がないので、約２〜３ｍｍ程度まで薄く作成することができる。ひいては、照明装置全体の厚さを薄くすることができる。
【発明の効果】
【００３２】
以上の発明によれば、平面型放電管から放射される熱を効率よく逃がすことが可能な照明装置を提供することができる。また、平面型放電管の両面から発光する光を効率よく利用した照明装置を提供することができる。
【発明を実施するための最良の形態】
【００３３】
（第１の実施形態）
以下、本発明に係る照明装置の実施形態について図面を参照して詳細に説明する。図１（ａ）は本実施形態の照明装置１００の正面図であり、図１（ｂ）は図１（ａ）のＡ−Ａ断面図である。図２は平面型放電管１０３の構造を示しており、図３は平面型放電管１０３の照明動作および平面型放電管１０３と照明装置１００の内部空間の冷却作用を模式的に示している。
【００３４】
＜全体構造＞
照明装置１００は、天井１１にネジ等の取付部材によって取り付けられた本体ケースとしての上面板１０１と、この上面板１０１に係止固定されるカバー体としてのグローブ１０２と、この上板面１０１とグローブとの間に形成される内部空間に備えられた平面型放電管１０３とから構成されている。
【００３５】
透光性を有するグローブ１０２は、天井水平面に対して傾斜する２つの傾斜面である直接照明部１０２ａと間接照明部１０２ｂからなり、その接合する部分には、空気孔１０２ｃが開口されている。また、直接照明部１０２ａは、間接照明部１０２ｂに対して傾斜して設けられている。直接照明部１０２ａの内面側には、グローブ１０２と一体成型された保持部材１０２ｄによって、直接照明部１０２ａの内面と離間して、平面型放電管１０３が保持固定されており、直接照明部１０２ａの内面と平面型放電管の表面とが対向する。つまり、この平面型放電管１０３は、天井水平面に対して傾斜して備えられている。
【００３６】
ステンレス鋼板からなる上面板１０１には、複数の放熱孔１０１ａ、１０１ｂが、天井に開口された開放孔１２，１２と照明装置１００の内部空間とを連通するように開口されている。放熱孔１０１ａは、間接照明部１０２ｂと上面板１０１との固定部の内側直上に開口されている。放熱孔１０１ｂは、直接照明部１０２ａと上面板１０１との固定部の内側直上に開口されている。つまり、この放熱孔１０１ｂは、本体ケースとしての上面板１０１と平面型放電管１０３の裏面とが最も接近する位置に対向する上面板１０１の位置に開口されている。
【００３７】
天井１１の上側には、平面型放電管１０３を駆動するための駆動回路基板１０４が設置され、平面型放電管１０３と電気的に接続している（図示略）。
【００３８】
＜平面型放電管＞
図２（ａ），（ｂ）に示すように、平面型放電管１０３は互いに対向する一対の長方形状の誘電体平板としてのガラス基板５１，５１を備えている。この両ガラス基板５１，５１の外周縁間がガラス接着剤５２により封止されることにより、両ガラス基板５１，５１間には放電空間５３が形成されている。この放電空間５３内には放電管１４の側壁（即ち、両ガラス基板５１，５１間のガラス接着剤５２）を貫通した給排気管５４を使用して放電ガスとしてキセノンガス（Ｘｅ）等の不活性ガス又はキセノンガスを含む混合ガスが封入されている。
【００３９】
放電空間５３内には複数の誘電体リブ５５が介在されている。誘電体リブ５５はガラス等の誘電体により長尺状に形成されている。各誘電体リブ５５は両ガラス基板５１，５１の長手方向へ延びるように、且つ互いに平行をなすように短手方向において所定間隔毎に配置されている。各誘電体リブ５５の上下の側縁部は、それぞれ両ガラス基板５１，５１の内面に図示しないガラス接着材により接合されている。各誘電体リブ５５により両ガラス基板５１，５１の間隔が一定に保持されている。
【００４０】
両ガラス基板５１，５１の表面は発光面（光を取り出す面）Ｓとされており、当該発光面Ｓ、Ｓにはその全面にわたって膜状の透明電極５６、５７が形成されている。この透明電極５６、５７は例えば酸化インジウムスズにより形成されている。また、放電空間５３内において、両ガラス基板５１、５１の内面の一方には、蛍光体膜５８が形成されている。なお、両ガラス基板５１、５１の内面の両面ともに、蛍光体膜５８、５８が形成してもよい。
【００４１】
透明電極５６、５７の外面にはそれぞれ半田等の導電接着材５９によりリード線６０の一端が接続されている。両リード線６０，６０の他端は、駆動回路基板１０４に接続されている。駆動回路としてのインバータ１３は、約１００ボルトの電源で駆動し、両リード線６０，６０を介して、透明電極５６、５７との間に所定の交流電圧が印加されると、両ガラス基板５１，５１間には誘電体バリヤ放電が発生し、励起したキセノン原子から紫外線が発生する。この紫外線が蛍光体膜５８により可視光に変換されて発光面から出射する。この可視光の輝度は約４０００ｃｄ程度であり、無機ＥＬ等の面発光シートからの照射輝度の数十倍である。
【００４２】
平面型放電管１０３と比較される平面発光体として、例えばＬＥＤから照射する光を導光板に照射させてものがある。平面型放電管１０３は、このような導光板の表面から照射されるようなものと比較して均一面発光が可能である。また、一対のガラス基板間の周囲を封止して形成された放電空間の両端に一対の棒状電極を形成した平面型放電管があるが、この放電空間の厚みが前記一対の棒状電極に律束されるために薄くすることができず、したがって、放電管全体を薄くすることができない。しかし、この発明に用いる前記平面型放電管１０３は、放電空間５３内に電極がないので、約２〜３ｍｍ程度と薄い。
【００４３】
＜照明装置の点灯動作、照射動作＞
平面型放電管１０３を駆動回路基板１０４によって点灯させると、平面型放電管１０３の表裏両から均一発光する。図３に示すように、平面型放電管１０３の表面から照射する光は、グローブ１０２の直接照明部１０２ａを介して外部に直接光として矢印ＬＢ１の範囲に亘り照射される。一方、平面型放電管１０３の裏面から照射する光は、直接、グローブ１０２の間接照明部１０２ｂへ向かう光Ｌ１と、上面板１０１の内面１０１ｃに反射して間接照明部１０２１ｂへ向かう光Ｌ２とからなり、この間接照明部１０２ｂを介して外間接光として矢印ＬＢ２の範囲に亘り照射される。このように、直接光としての照射範囲ＬＢ１と間接光の照射範囲ＬＢ２は、互いに重なり合うことなく照射される。なお、本発明において、上面板１０１の内面１０１ｃは、ステンレス鋼板の金属板からなる反射部材に相当する。
【００４４】
＜平面型放電管および照明装置内部空間の冷却作用＞
平面型放電管１０３の表裏両面からは、均一光が照射されると同時に熱が発生し、照明装置１００の内部空間に存在する空気に伝えられる。平面型放電管１０３の表面から放射された熱は、この平面型放電管１０３の表面と直接照明部１０２ａとの間に存在する空気に伝達される。この空気は熱を持っているため浮力を生じ上昇気流となる。したがって、図３の矢印Ｂに示すように、平面型放電管１０３の表面と直接照明部１０２ａとの間の傾斜空間に沿って上昇し（矢印Ｗ１）、放熱孔１０１ｂから流れ出る（矢印Ｗ２）。それに伴い、外部の空気が空気孔１０２ｃから流入する（矢印Ｗ３）ため、この平面型放電管１０３の表面と直接照明部１０２ａとの間の傾斜空間には流れが生じる。
【００４５】
平面型放電管１０３の裏面から放射された熱は、この平面型放電管１０３の裏面の上方に存在する空気に伝達される。この空気は熱を持っているため浮力を生じ上昇気流となる。この場合、平面型放電管１０３の裏面が、上面板１０１と接近している空間Ｋ１の温度Ｔ１と、上面板と隔たりのある空間Ｋ２の温度Ｔ２と比較すると、上面板１０１と接近している空間Ｋ１が、上面板と隔たりのある空間Ｋ２よりも小さいためにＴ１の方が高温になる。つまり、空間Ｋ１に存在する空気の浮力が大きくなり、放熱孔１０１ｂから流れ出る（矢印Ｗ４）。それに伴って、空間Ｋ２に存在した空気は斜め上方に移動し（矢印Ｗ５）、それに伴って、外部の空気が空気孔１０２ｃから流入する（矢印Ｗ６）ため、この平面型放電管１０３の裏面にそって斜め上方に流れが生じる。
【００４６】
＜第１の実施形態の作用・効果＞
以上の第１の実施形態の照明装置によって奏する作用・効果を以下に列記する。
（１）平面型放電管１０３は、天井水平面に対して傾斜して設けられているので、この平面型放電管１０３の表裏両面から発せられる熱よる空気の浮力を利用した対流効果によって、この表裏両面に沿って空気が流れるので、平面型放電管１０３の両面を冷却することができる。
【００４７】
（２）上面板１０１ｃには、放熱孔１０１ｂを設けたので、浮力によって生じた高温の空気が外部へ流れ出ることにより、照明装置１００の内部空間の温度上昇を低く保つことができる。
【００４８】
（３）グローブ１０２には、空気孔１０２ｃを設けたので、放熱孔１０１ｂあるいは１０１ａから流れ出た空気流量だけ、外部から低温の空気が導入される。したがって、照明装置１００の内部空間の温度上昇を低く保つことができる。
【００４９】
（４）上面板１０１をステンレス鋼板からなる金属板としたので、平面型放電管１０３の裏面から放射される光は、上面板１０１の内面１０１ｃで反射するので、効率よく間接照明部１０２ｂを介して外部へ照射させることができる。
【００５０】
（５）グローブ１０２には、直接照明部１０２ａと間接照明部１０２ｂを区別して設けているので、直接照明部１０２ａから照射される照度の大きい光によって主照明を形成し、間接照明部１０２ｂから照射される比較的照度の小さい光によって、補助照明を形成する。この主照明によって照射対象となる物品等を局所的に照らし、その周囲等を柔らかな補助照明によって照らすことにより、装飾的な効果を醸し出すことが可能となる。
【００５１】
（６）直接照明部１０２ａは、間接照明部１０２ｂに対して傾斜して設けているので、直接照明としての主照明照射領域と、間接照明としての補助照明領域とが、重なり合う領域を極力少なくすることができる。
【００５２】
（７）平面型放電管１０３は、他の平面発光体と比較して照度を高くすることができるとともに、均一面発光が可能である。したがって、主照明部１０２ａから照射される光は、主照明として充分な照度を得ることができ、かつムラなく照らすことができる。
【００５３】
（８）平面型放電管１０３は、放電空間内に形成される一対の棒状電極を備える平面型放電管と比較すると、十分薄く製作することが可能であり、約２〜３ｍｍ程度まで薄く作成することができる。ひいては、照明装置１００全体の厚さを薄くすることができる。
【００５４】
（第１の実施形態の応用例）
・  上面板１０１は、金属板であるステンレス鋼板であるため、光を反射させることが可能であるが、この反射効率を上昇させるために、別途、上面板１０１の内面に反射部材を設けてもよい。この場合の反射部材としては、アルミニウム板やアルミテープ等でもよい。この場合、上面板１０１は、例えば樹脂材料の板材に変更することも可能である。
【００５５】
・  図４（ａ）に示すように、上面板１０１の内面１０１ｃに分離板１０５を設ける。このようにすれば、平面型放電管１０３の裏面から間接照明として照射される光量は、この分離板１０５の右側の空間に照射される光量分だけとなる。したがって、この分離板１０５を左右に調節することにより、間接照明の光量を調節することができる。
【００５６】
・  図４（ｂ）に示すように、上面板１０１の内面１０１ｃに、傾斜部材１０６を備える。このようにすれば、平面型放電管１０３の裏面を冷却する空気の流れの方向性を整えることができるので、対流効果を促進させ、さらに効率よく、平面型放電管１０３の冷却効果を上げることができる。
【００５７】
（第２の実施形態）
図５（ａ）は本実施形態の照明装置２００の正面図であり、図５（ｂ）は図５（ａ）のＡ−Ａ断面図である。図６は平面型放電管２０３の照明動作および平面型放電管２０３と照明装置２００の内部空間の冷却作用を模式的に示している。なお、本実施形態における照明装置２００に内蔵される平面型放電管２０３は、第１の実施形態における照明装置１００に内蔵される平面型放電管１０３と基本的な構造において同一であるので、説明を省略する。
【００５８】
＜全体構造＞
照明装置２００は、天井１１にネジ等の取付部材によって取り付けられた本体ケースと２０１と、この本体ケース２０１に係止固定されるカバー体としてのグローブ２０２と、この本体ケース２０１とグローブ２０２との間に形成される内部空間に備えられた平面型放電管２０３と、この平面型放電管２０３を点灯駆動するための駆動回路基板２０４と、この駆動回路基板２０４を設置する空間を形成する基板ケース２０５とから構成されている。
【００５９】
透光性を有するグローブ２０２は、略中央部にあって天井水平面と略平行に位置する直接照明部１０２ａと、天井水平面に対して傾斜する２つの傾斜面である間接照明部１０２ｂ、１０２ｂとからなり、直接照明部２０２ａと間接照明部２０２ｂとが連接する部分には、空気孔２０２ｃ、２０２ｃが開口されている。つまり、直接照明部２０２ａは、間接照明部２０２ｂに対して傾斜して設けられている。直接照明部１０２ａの内面側には、グローブ２０２と一体成型された保持部材２０２ｄによって、直接照明部２０２ａの内面と離間して、平面型放電管２０３が保持固定されており、直接照明部２０２ａの内面と平面型放電管２０３の表面とが対向する。
【００６０】
ステンレス鋼板からなる基板ケース２０５は、遮蔽部材としての平板部２０５ａと、この平板部２０５ａの周縁と連接して形成される傾斜部材２０５ｂとからなり、天井１１にネジ等の取付部材によって本体ケース２０１を挟持して取り付けられている。平板部２０５ａと本体ケース２０１との間に形成される空間２０６内には、駆動回路基板２０４が平板部２０５ａの上側に固定されており、この空間２０６が照明装置２００の内部空間２０７の一部を別空間（遮蔽空間２０６）として遮蔽して形成している。
【００６１】
ステンレス鋼板からなる本体ケース２０１には、複数の放熱孔２０１ａ、２０１ｂ、２０１ｄが、天井に開口された開放孔１２，１２と照明装置１００の内部空間とを連通するように開口されている。放熱孔２０１ｂは、遮蔽空間２０６の周縁部上に開口されている。放熱孔２０１ａは、基板ケース２０５の傾斜部材２０５ｂが固定された部分の外側に開口されている。つまり、本体ケース２０１と外部空間とを連通するように開口された放熱孔２０１ａ、２０１ｂは、本体ケース２０１の底面と傾斜部材２０５ｂの周縁部とが最も接近する位置において形成されている。
【００６２】
また、本体ケース２０１には、本体ケース２０１に連通して形成される傾斜底面としての傾斜部２０１ａを有する。この傾斜部２０１ａの最端において、グローブ２０２の間接照明部２０２ｂと係止固定されている。
【００６３】
＜照明装置の点灯動作、照射動作＞
平面型放電管２０３を駆動回路基板２０４によって点灯させると、平面型放電管２０３の表裏両から均一発光する。図６に示すように、平面型放電管２０３の表面から照射する光は、グローブ２０２の直接照明部２０２ａを介して外部に直接光として矢印ＬＢ３の範囲に亘り照射される。一方、平面型放電管２０３の裏面から照射する光は、傾斜部２０１ａの内面に反射して間接照明部２０２ｂへ向かう光Ｌ３と、傾斜部材２０５ｂの傾斜外面に反射し、さらに傾斜部２０１ａの内面に反射して間接照明部２０２ｂへ向かう光Ｌ４と、傾斜部材２０５ｂの傾斜外面に反射して、間接照明部２０２ｂへ向かう光Ｌ５とからなり、この間接照明部１０２ｂを介して間接光として矢印ＬＢ４の範囲に亘り照射される。このように、直接光としての照射範囲ＬＢ３と間接光の照射範囲ＬＢ４は、互いに重なり合うことなく照射される。なお、本発明において、傾斜部材２０５ｂの傾斜外面および傾斜部２０１ａの内面は、ステンレス鋼板の金属板からなる反射部材に相当する。
【００６４】
＜平面型放電管および照明装置内部空間の冷却作用＞
平面型放電管２０３の表裏両面からは、均一光が照射されると同時に熱が発生し、照明装置２００の内部空間２０７に存在する空気に伝えられる。平面型放電管２０３の裏面から放射された熱は、この平面型放電管２０３の裏面の上方に存在する空気に伝達される。この空気は熱を持っているため浮力を生じ上昇気流となる。この上昇気流は、傾斜部材２０５ｂの傾斜外面に沿って流れ（矢印Ｗ７）、放熱孔２０ｂから流れ出る（矢印Ｗ８）。それに伴って、グローブ２０２に開口された空気孔２０２ｃから外部の空気が空間２０７へ流入し（矢印Ｗ９）、一部は、平面型放電管２０３の表面に形成される空間に流入してその表面を冷却する（矢印Ｗ１０）。そして、この空気が他の空気が混合して平面型放電管２０３の裏面側に流れ込み裏面を冷却する（矢印Ｗ１１）。その後は、前述した経路を経て放熱孔２０１ｂから空気が流れ出る。
【００６５】
＜駆動回路基板および空間の冷却作用＞
駆動回路基板２０４から発せられた熱は、大部分が遮蔽部材２０５ａに熱伝導によって伝達され、残りが遮蔽空間２０６に放射される。遮蔽空間２０６に放射された熱は、空気に伝達され温度が上昇するので浮力を生じる。そのため、放熱孔２０１ｄからその空気の一部が流れ出ることによって放熱される。また他の部分の空気は本体ケース２０１の内面２０１ｅによって冷却されるとともに、遮蔽空間２０６内には循環流（矢印Ｗ１２）が形成される。一方、熱伝導によって遮蔽部材２０５ａに伝達された熱は、傾斜面２０５ｂに伝わる。浮力によって生じた、傾斜面２０５ｂに沿って流れる空気（矢印Ｗ１３）の温度Ｔ３は、この傾斜面の温度Ｔ４よりも小さいので、この空気流れによって、傾斜面２０５ｂが冷却され、空気に放熱される。前述したように、この空気流れは、一部が放熱孔２０１ｄから流れ出るとともに、残りは循環流（矢印Ｗ１２）として冷却・放熱を繰り返す。
【００６６】
＜第２の実施形態の作用・効果＞
以上の第２の実施形態の照明装置によって、前記（５）〜（８）に記載の作用・効果と同様な効果を奏する。本実施形態によって表れるその他の作用・効果を以下に列記する。
（９）基板ケース２０５の遮蔽部材２０５ａによって、駆動回路基板２０４を平面型放電管２０３の裏面から放射される光と熱を遮蔽することによって、駆動回路基板２０４の極端な温度上昇を抑えることができる。
【００６７】
（１０）基板ケース２０５の傾斜面２０５を設けたので、浮力によって生じた上昇気流により傾斜面２０５に沿って斜め上方に流れができ、照明装置の内部空間２０７内に対流効果が生じるので、平面型放電管２０３の表裏の両面から発せられる熱を冷却することができ、内部空間２０７の温度上昇を抑えることができる。
【００６８】
（１１）本体ケース２０１には、放熱孔２０１ｂを設けたので、浮力によって生じた高温の空気が外部へ流れ出ることにより、照明装置２００の内部空間２０７の温度上昇を低く保つことができる。
【００６９】
（１２）グローブ２０２には、空気孔２０２ｃを設けたので、放熱孔２０１ｂあるいは２０１ａから流れ出た空気流量だけ、外部から低温の空気が導入される。したがって、照明装置１００の内部空間２０７の温度上昇を低く保つことができる。
【００７０】
（１３）駆動回路基板２０４を基板ケース２０５の遮蔽部材２０５ａに接続したので、駆動回路基板２０４から放射される熱が、遮蔽部材２０５ａから傾斜面２０５ｂに伝達され、遮蔽空間２０６内を流れる空気によって、この傾斜面が冷却することにより、駆動回路基板２０４の温度上昇を抑えることができる。
【００７１】
（１４）本体ケース２０１には、放熱孔２０１ｄを設けたので、浮力によって生じた高温の空気の一部が外部へ流れ出ることにより、遮蔽空間２０６の温度上昇を低く保つことができる。
【００７２】
（１５）傾斜面２０５ｂをステンレス鋼板からなる金属板としたので、平面型放電管２０３の裏面から放射される光は、傾斜面２０５ｂの傾斜外面で反射するので、効率よく間接照明部２０２ｂを介して外部へ照射させることができる。
【００７３】
（１６）傾斜部２０１ａの内面をステンレス鋼板からなる金属板としたので、平面型放電管２０３の裏面から放射される光は、傾斜部２０１ａの内面で反射するので、効率よく間接照明部２０２ｂを介して外部へ照射させることができる。
【００７４】
（第２の実施形態の応用例）
・  傾斜面２０５ｂの傾斜外面または傾斜部２０１ａの内面は、金属板であるステンレス鋼板であるため、光を反射させることが可能であるが、この反射効率を上昇させるために、別途、反射部材を設けてもよい。この場合の反射部材としては、アルミニウム板やアルミテープ等でもよい。この場合、傾斜面２０５ｂまたは傾斜部２０１ａを、例えば樹脂材料の板材に変更することも可能である。
【００７５】
・  本実施形態では、平面型放電管を天井水平面に対してほぼ平行に保持しているが、これに限定しなくてもよい。例えば、平面放電灯を複数設置し、それぞれを天井水平面に対して傾斜して設置させてもよい。この場合は、第１の実施形態の奏する効果（１）と同様の効果を奏する。
【００７６】
（他の実施形態等）
なお、本発明は上記の実施形態に限定するものではなく、本発明の要旨を変更しない範囲で様々な実施が可能である。以下にその他の実施形態等を列記する。
【００７７】
・  本発明において、平面型放電管として、両面発光の発光素子等を用いてもよい。また、平面型放電管の構造は、第１および第２の実施形態に用いたものに限定されない。
【００７８】
・  第１および第２の実施形態では、グローブを直接照明部と間接照明部とに分けているが、これに限定する必要はなく、ひとつの照明部として機能させても良い。また、直接照明用と間接照明用との間の連接部を不透明してもよいし、この連接部に空気孔を設けなくてもよい。
【００７９】
（附記）
これらの実施形態より把握される請求項に記載した以外の技術的思想について以下に列記する。
（ａ）前記直接照明部と前記間接照明部との間の連接部分には透光性の無い不透光部を設けたことを特徴する請求項１０または請求項１１に記載の照明装置。この照明装置によれば、直接照明部と間接照明部とを明確に区別して光が照射される。
【００８０】
（ｂ）前記不透光部には、外部から内部へ空気が流入する空気孔を設けたことを特徴とする請求項１０、請求項１１および前記（ａ）のいずれかに記載の照明装置。この照明装置によれば、空気孔を設けたので、この空気孔から流入した温度の低い空気の対流効果によって、平面型放電管および照明装置の内部空間を冷却することができる。
【図面の簡単な説明】
【００８１】
【図１】（ａ）は第１の実施形態における照明装置の正面図であり、（ｂ）は（ａ）のＡ−Ａ断面図である。
【図２】第１の実施形態の照明装置に内蔵された平面型放電管の断面図であって、（ａ）は縦断面図、（ｂ）は横断面図である。
【図３】第１の実施形態において、平面型放電管の照明動作および平面型放電管と照明装置の内部空間の冷却作用を模式的に示した説明図である。
【図４】（ａ）（ｂ）共に第１の実施形態における照明装置の応用例を示した図である。
【図５】（ａ）は第２の実施形態における照明装置の正面図であり、（ｂ）は（ａ）のＢ−Ｂ断面図である。
【図６】第２の実施形態において、平面型放電管の照明動作、平面型放電管と照明装置の内部空間および遮蔽空間の冷却作用を模式的に示した説明図である。
【図７】従来の平面型放電管を用いた照明装置である。
【符号の説明】
【００８２】
１１・・・天井、１２・・・連通孔、１００・・・照明装置、１０１・・・上面板、１０１ａ、１０１ｂ・・・放熱孔、１０１ｃ・・・内面、１０２・・・グローブ、１０２ａ・・・直接照明部、１０２ｂ・・・間接照明部、１０２ｃ・・・空気孔、１０２ｄ・・・固定部材、１０３・・・平面型放電管、１０４・・・駆動回路基板、２００・・・照明装置、２０１・・・本体ケース、２０１ａ・・・傾斜部、２０１ｂ、２０１ｄ・・・放熱孔、２０２・・・グローブ、２０２ａ・・・直接照明部、２０２ｂ・・・間接照明部、２０２ｃ・・・空気孔、２０５・・・基板ケース、２０５ａ・・・遮蔽部材、２０５ｂ・・・傾斜面、２０６・・・遮蔽空間、２０７・・・内部空間。
【図１】
2007305554.tif 000003
【図２】
2007305554.tif 000004
【図３】
2007305554.tif 000005
【図４】
2007305554.tif 000006
【図５】
2007305554.tif 000007
【図６】
2007305554.tif 000008
【図７】
2007305554.tif 000009